【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
遊技に使用可能な遊技用価値の大きさを特定可能な情報が記録された第１の遊技用記録媒体の遊技への使用の可否を判定する可否判定処理を行う記録媒体管理装置と、
該記録媒体管理装置と通信可能に接続され、前記可否判定処理にて遊技に使用可能と判定された第１の遊技用記録媒体の記録情報から特定される遊技用価値の大きさを遊技に使用するための第１の遊技使用処理を行う第１の遊技使用処理手段と、貨幣を受け付けて該受け付け貨幣の識別を行う貨幣識別手段と、該貨幣識別手段が識別した貨幣金額に応じた遊技用価値の大きさを特定可能な情報を、該記録媒体処理装置内に予め収容された第２の遊技用記録媒体に記録する遊技用価値特定情報記録手段と、前記第２の遊技用記録媒体の記録情報から特定される遊技用価値の大きさを遊技に使用するための第２の遊技使用処理を行う第２の遊技使用処理手段と、前記記録媒体管理装置との通信状態が通信可能状態或いは通信不可能状態であるかの確認を行う通信状態確認手段と、を備える記録媒体処理装置と、
から成り、
前記記録媒体処理装置は、
前記通信状態確認手段により通信不可能状態が確認された場合において、該通信不可能状態となる以前の通信可能状態において受け付け、前記記録媒体管理装置による可否判定処理において使用可能と判定された前記第１の遊技用記録媒体が受け付け中であって、且つ該第１の遊技用記録媒体の記録情報から特定される遊技用価値の大きさが残存する場合には、該残存する遊技用価値の前記遊技使用処理への使用を許容する一方、前記通信不可能状態で且つ第１の遊技用記録媒体が受け付けられていない場合において、新たな第１の遊技用記録媒体の受け付けを行わず、
前記通信状態確認手段により通信不可能状態が確認されており、受け付け中の第１の遊技用記録媒体の記録情報から特定される遊技用価値の大きさが０となった場合において、前記貨幣識別手段が貨幣を識別すると、該識別した貨幣金額に応じた遊技用価値の大きさを特定可能な情報を前記第２の遊技用記録媒体に記録した後、前記第２の遊技使用処理を行うとともに、該第２の遊技使用処理においては、前記第２の遊技用記録媒体の記録情報から特定される遊技用価値の大きさの全てを一度に使用する
ことを特徴とする遊技用システム。
【手続補正２】
【補正対象書類名】明細書
【補正対象項目名】０００６
【補正方法】変更
【補正の内容】
【０００６】
前記した問題を解決するために、本発明の遊技用システムは、
遊技に使用可能な遊技用価値の大きさを特定可能な情報が記録された第１の遊技用記録媒体の遊技への使用の可否を判定する可否判定処理を行う記録媒体管理装置と、
該記録媒体管理装置と通信可能に接続され、前記可否判定処理にて遊技に使用可能と判定された第１の遊技用記録媒体の記録情報から特定される遊技用価値の大きさを遊技に使用するための第１の遊技使用処理を行う第１の遊技使用処理手段と、貨幣を受け付けて該受け付け貨幣の識別を行う貨幣識別手段と、該貨幣識別手段が識別した貨幣金額に応じた遊技用価値の大きさを特定可能な情報を、該記録媒体処理装置内に予め収容された第２の遊技用記録媒体に記録する遊技用価値特定情報記録手段と、前記第２の遊技用記録媒体の記録情報から特定される遊技用価値の大きさを遊技に使用するための第２の遊技使用処理を行う第２の遊技使用処理手段と、前記記録媒体管理装置との通信状態が通信可能状態或いは通信不可能状態であるかの確認を行う通信状態確認手段と、を備える記録媒体処理装置と、
から成り、
前記記録媒体処理装置は、
前記通信状態確認手段により通信不可能状態が確認された場合において、該通信不可能状態となる以前の通信可能状態において受け付け、前記記録媒体管理装置による可否判定処理において使用可能と判定された前記第１の遊技用記録媒体が受け付け中であって、且つ該第１の遊技用記録媒体の記録情報から特定される遊技用価値の大きさが残存する場合には、該残存する遊技用価値の前記遊技使用処理への使用を許容する一方、前記通信不可能状態で且つ第１の遊技用記録媒体が受け付けられていない場合において、新たな第１の遊技用記録媒体の受け付けを行わず、
前記通信状態確認手段により通信不可能状態が確認されており、受け付け中の第１の遊技用記録媒体の記録情報から特定される遊技用価値の大きさが０となった場合において、前記貨幣識別手段が貨幣を識別すると、該識別した貨幣金額に応じた遊技用価値の大きさを特定可能な情報を前記第２の遊技用記録媒体に記録した後、前記第２の遊技使用処理を行うとともに、該第２の遊技使用処理においては、前記第２の遊技用記録媒体の記録情報から特定される遊技用価値の大きさの全てを一度に使用する
ことを特徴としている。
この特徴によれば、前記通信不可能状態においては、新たな第１の遊技用記録媒体の受け付けを行わないことで、不正な第１の遊技用記録媒体による遊技を防止しつつ、前記通信不可能状態となる以前の通信状態にて既に前記記録媒体処理装置に受け付けられ、且つ遊技用価値の大きさが残存する場合においては、遊技者は該残存する遊技用価値の大きさを遊技に使用することが可能となるうえに、残存する遊技用価値の大きさを遊技に使用した後も、貨幣識別手段に貨幣を投入することで、該貨幣金額に応じた遊技用価値の大きさを遊技に使用できるため、遊技場側は、営業状態を確保できるようになり、これら通信不可能状態による被害を最小限に抑えることができる。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
本発明は次の効果を奏する。
（ａ）請求項１の発明によれば、前記通信不可能状態においては、新たな第１の遊技用記録媒体の受け付けを行わないことで、不正な第１の遊技用記録媒体による遊技を防止しつつ、前記通信不可能状態となる以前の通信状態にて既に前記記録媒体処理装置に受け付けられ、且つ遊技用価値の大きさが残存する場合においては、遊技者は該残存する遊技用価値の大きさを遊技に使用することが可能となるうえに、残存する遊技用価値の大きさを遊技に使用した後も、貨幣識別手段に貨幣を投入することで、該貨幣金額に応じた遊技用価値の大きさを遊技に使用できるため、遊技場側は、営業状態を確保できるようになり、これら通信不可能状態による被害を最小限に抑えることができる。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】０１６９
【補正方法】変更
【補正の内容】
【０１６９】
本発明の請求項１は、
遊技に使用可能な遊技用価値（度数）の大きさを特定可能な情報が記録された第１の遊技用記録媒体（会員カード３７）の遊技への使用の可否を判定する可否判定処理を行う記録媒体管理装置（システムコントローラ１００）と、
該記録媒体管理装置（システムコントローラ１００）と通信可能に接続され、前記可否判定処理にて遊技に使用可能と判定された第１の遊技用記録媒体（会員カード３７）の記録情報から特定される遊技用価値（度数）の大きさを遊技に使用するための第１の遊技使用処理を行う第１遊技使用処理手段（制御ユニット３２８、カードリーダライタ３２７）と、貨幣を受け付けて該受け付け貨幣の識別を行う貨幣識別手段（紙幣識別ユニット３２２、硬貨識別ユニット３２４）と、該貨幣識別手段が識別した貨幣金額に応じた遊技用価値（度数）の大きさを特定可能な情報を、該記録媒体処理装置（カードユニット３）内に予め収容された第２の遊技用記録媒体（ビジターカード３８）に記録する遊技用価値特定情報記録手段（制御ユニット３２８、カードリーダライタ３２７）と、前記第２の遊技用記録媒体（ビジターカード３８）の記録情報から特定される遊技用価値の大きさを遊技に使用するための第２の遊技使用処理を行う第２の遊技使用処理手段（制御ユニット３２８、カードリーダライタ３２７）と、前記記録媒体管理装置（システムコントローラ１００）との通信状態が通信可能状態或いは通信不可能状態であるかの確認を行う通信状態確認手段（制御基板３２７ｂ）と、を備える記録媒体処理装置（カードユニット３）と、
から成り、
前記記録媒体処理装置（カードユニット３）は、
前記通信状態確認手段（制御基板３２７ｂ）により通信不可能状態が確認された場合において、該通信不可能状態となる以前の通信可能状態において受け付け、前記記録媒体管理装置（システムコントローラ１００）による可否判定処理において使用可能と判定された前記第１の遊技用記録媒体（会員カード３７）が受け付け中であって、且つ該第１の遊技用記録媒体（会員カード３７）の記録情報から特定される遊技用価値（度数）の大きさが残存する場合には、該残存する遊技用価値（度数）の前記第１の遊技使用処理への使用を許容する一方、前記通信不可能状態で且つ第１の遊技用記録媒体（会員カード３７）が受け付けられていない場合において、新たな第１の遊技用記録媒体（会員カード３７）の受け付けを行わず、
前記通信状態確認手段（制御基板３２７ｂ）により通信不可能状態が確認されており、受け付け中の第１の遊技用記録媒体（会員カード３７）の記録情報から特定される遊技用価値（度数）の大きさが０となった場合において、前記貨幣識別手段（紙幣識別ユニット３２２、硬貨識別ユニット３２４）が貨幣を識別すると、該識別した貨幣金額に応じた遊技用価値（度数）の大きさを特定可能な情報を前記第２の遊技用記録媒体（ビジターカード３８）に記録した後、前記第２の遊技使用処理を行うとともに、該第２の遊技使用処理においては、前記第２の遊技用記録媒体（ビジターカード３８）の記録情報から特定される遊技用価値（度数）の大きさの全てを一度に使用する。
【手続補正１５】
【補正対象書類名】明細書
【補正対象項目名】０１７０
【補正方法】削除
【補正の内容】
【手続補正１６】
【補正対象書類名】明細書
【補正対象項目名】０１７１
【補正方法】削除
【補正の内容】
【手続補正１７】
【補正対象書類名】明細書
【補正対象項目名】０１７２
【補正方法】削除
【補正の内容】
【手続補正１８】
【補正対象書類名】明細書
【補正対象項目名】０１７３
【補正方法】削除
【補正の内容】
【手続補正１９】
【補正対象書類名】明細書
【補正対象項目名】０１７４
【補正方法】削除
【補正の内容】